(57)【要約】      （修正有）【課題】製造の効率を向上させた軟質プラスチック袋を提供する。【解決手段】一体化された本体部分１０２と取っ手部分１０４を有する。取っ手部分は２つの取っ手１０７、１０９を有し、それらの間に開放頂部１１５が設けられる。中央垂直軸線１２０が、本体部分及び頂部を通って長手方向に定められ、プラスチック袋１００は中央垂直軸線に関して対称である。さらに、第１及び第２の側部の垂直軸線１３８、１３６が、第１及び第２の取っ手の中央箇所１３９、１３７を通って定められ、各取っ手は測部の垂直軸線に関して対称である。【選択図】図１
0003175978.tif 000002
【実用新案登録請求の範囲】
【請求項１】
取っ手付きプラスチック袋であって、
本体部分を有し、前記本体部分は、
前壁及び後壁と、
複数の側部と、
継目を備えた底縁部を有し、
前記本体部分と一体化された取っ手部分を有し、前記取っ手部分は、
各々が継目頂縁及び２つの開放側縁を備えた２つの取っ手を有し、前記２つの取っ手の前記継目頂縁相互間の領域は、前記取っ手付きプラスチック袋の開放頂部を定め、前記２つの取っ手の前記継目頂縁の外側に位置する領域は、前記取っ手付きプラスチック袋の他の開放頂部を更に定め、
中央垂直軸線が前記本体部分及び前記頂部を通って長手方向に定められ、前記取っ手付きプラスチック袋を第１の側部と第２の側部に分割し、
前記取っ手付きプラスチック袋は、前記中央垂直軸線に関して実質的に対称であり、
第１の側部垂直軸線が前記２つの取っ手のうちの第１の取っ手の中央箇所を通って長手方向に定められ、第２の側部垂直軸線が前記２つの取っ手のうちの第２の取っ手の中央箇所を通って長手方向に定められ、前記２つの取っ手のうちの前記第１の取っ手及び前記第２の取っ手は、これらのそれぞれの前記第１の側部垂直軸線及び前記第２の側部垂直軸線に関して実質的に対称である、取っ手付きプラスチック袋。
【請求項２】
前記第１の側部と前記第２の側部は各々、実質的に等しい幅の外側セグメント、中間セグメント及び内側セグメントを有し、前記第１の側部垂直軸線及び前記第２の側部垂直軸線は、前記第１の側部及び前記第２の側部の前記外側セグメントと前記中間セグメントとの間に定められ、内側セグメント垂直軸線が前記内側セグメントの中央箇所を通って長手方向に定められている、請求項１記載の取っ手付きプラスチック袋。
【請求項３】
前記２つの取っ手の前記２つの開放側縁は、実質的に湾曲している、請求項１記載の取っ手付きプラスチック袋。
【請求項４】
前記本体及び前記取っ手部分は、プラスチックフィルムで作られている、請求項１記載の取っ手付きプラスチック袋。
【請求項５】
前記本体部分の前記側部は、ガセットを備えていない、請求項１記載の取っ手付きプラスチック袋。
【請求項６】
前記本体部分に連結されていて、前記取っ手付きプラスチック袋の前記開放頂部をくくって閉じることができるプラスチックストリップを更に有する、請求項１記載の取っ手付きプラスチック袋。
【請求項７】
前記袋を前記中央垂直軸線回りに折り畳み、前記袋を前記第１の側部垂直軸線及び前記第２の側部垂直軸線回りに折り畳み、前記袋を前記内側セグメント垂直軸線回りに折り畳むと、その結果、前記取っ手付きプラスチック袋の前記開放頂部は、実質的に整列された状態になる、請求項１記載の取っ手付きプラスチック袋。
【請求項８】
前記２つの取っ手の前記２つの開放側縁は、実質的に角張っている、請求項１記載の取っ手付きプラスチック袋。
【請求項９】
前記底縁部の継目は、ガセットを備えている、請求項１記載の取っ手付きプラスチック袋。
【請求項１０】
前記２つの取っ手の前記継目頂縁は、ガセットを備えている、請求項１記載の取っ手付きプラスチック袋。
【考案の詳細な説明】
【技術分野】
【０００１】
本考案は、一般に、取っ手付きのプラスチック袋、特に、本体及び取っ手に関して種々の対称性を持つ軟質プラスチック袋に関する。
【考案の概要】
【０００２】
本体部分及び取っ手部分を備えた取っ手付きプラスチック袋が本明細書において開示される。本体部分は、前壁、後壁、側部及び継目を備えた底縁部を有する。取っ手部分は、本体部分に一体化されており、この取っ手部分は、２つの取っ手を含む。取っ手部分の２つの取っ手の各々は、継目頂縁及び２つの開放側縁を有する。２つの取っ手の継目頂縁相互間の領域は、取っ手付きプラスチック袋の開放頂部を定め、２つの取っ手の継目頂縁の外側に位置する領域は、取っ手付きプラスチック袋の他の開放頂部を更に定める。
【０００３】
一観点によれば、中央垂直軸線が本体部分及び頂部を通って長手方向に定められ、この中央垂直軸線は、取っ手付きプラスチック袋を第１の側部と第２の側部に分割する。取っ手付きプラスチック袋は、中央垂直軸線に関して実質的に対称である。
【０００４】
別の観点によれば、第１の側部垂直軸線が２つの取っ手の第１の取っ手の中央箇所を通って長手方向に定められ、第２の側部垂直軸線が２つの取っ手のうちの第２の取っ手の中央箇所を通って長手方向に定められる。第１及び第２の取っ手は、これらのそれぞれの第１及び第２の側部垂直軸線に関して実質的に対称である。
【０００５】
別の観点によれば、第１の側部と第２の側部は各々、実質的に等しい幅の外側セグメント、中間セグメント及び内側セグメントを有する。第１及び第２の側部垂直軸線は、第１及び第２の側部の外側セグメントと中間セグメントとの間に定められる。さらに、内側セグメント垂直軸線が内側セグメントの中央箇所を通って長手方向に定められる。
【０００６】
別の観点によれば、袋を中央垂直軸線回りに折り畳み、袋を第１及び第２の側部垂直軸線回りに折り畳み、袋を内側セグメント垂直軸線回りに折り畳むと、その結果、取っ手付きプラスチック袋の開放頂部は、実質的に整列される。
【０００７】
別の観点によれば、２つの取っ手の２つの開放側縁は、実質的に湾曲し又は実質的に角張っているのが良い。
【０００８】
別の観点によれば、本体及び取っ手部分は、プラスチックフィルムで作られるのが良い。
【０００９】
別の観点によれば、幾つかの実施形態では、本体部分の側部は、ガセット（まち）を備えないのが良い。そして、底縁部の継目及び２つの取っ手の継目頂縁は、ガセットを備えるのが良い。
【００１０】
別の観点によれば、取っ手付きプラスチック袋は、本体部分に連結されていて、取っ手付きプラスチック袋の開放頂部をくくって閉じることができるプラスチックストリップを更に有するのが良い。
【図面の簡単な説明】
【００１１】
【図１】本考案の取っ手付きプラスチック袋を示す概略図である。
【図２ａ】本考案の取っ手付きプラスチック袋の別の概略図である。
【図２ｂ】本考案の取っ手付きプラスチック袋の別の概略図である。
【図２ｃ】本考案の取っ手付きプラスチック袋の別の概略図である。
【図２ｄ】本考案の取っ手付きプラスチック袋の別の概略図である。
【考案を実施するための形態】
【００１２】
図１は、取っ手付きプラスチック袋１００を示す概略図である。取っ手付きプラスチック袋１００は、本体部分１０２及び取っ手部分１０４を有している。本体部分１０２は、前壁１１０、後壁（図示せず）、側部１０６，１０８及び底縁部１１１を有する。底縁部１１１は、ガセット（まち）付きの継目を有するのが良い。一実施形態では、側部１０６，１０８は、継目又はガセットを備えておらず、その代わりに、実質的に連続したプラスチックフィルムで作られるのが良い。
【００１３】
取っ手部分１０４は、本体部分１０２と一体化されている。取っ手部分１０４は、各々が継目頂縁１１３及び２つの開放側縁１１４を備えた２つの取っ手１０７，１０９を有する。プラスチック袋１００の開放頂部１１５が２つの取っ手１０７，１０９の継目頂縁１１３相互間の領域１１２に構成されている。かくして、袋のこの頂部１１５は、開いている。他の開放頂部が２つの取っ手１０７，１０９の継目頂縁１１３の外側に位置する領域１１６に構成されている。かくして、袋のこれらの部分も又、開いており、少なくとも部分的に取っ手１０７，１０９を形成している。
【００１４】
一実施形態では、本体部分１０２の底縁部１１１及び取っ手部分１０４の継目頂縁１１３は、支持のため及び耐久性が得られるようにするためのガセットを備えている。
【００１５】
中央長手方向軸線１２０が取っ手付きプラスチック袋１００の本体部分１０２及び頂部１０４を通って長手方向に定められている。中央垂直軸線１２０は、取っ手付きプラスチック袋を第１の側部１２８と第２の側部１２６に分割している。一実施形態では、取っ手付きプラスチック袋１００は、中央垂直軸線１２０に関して実質的に対称である。
【００１６】
さらに、第１の側部の垂直軸線１３８が２つの取っ手のうちの第１の取っ手１０７の中央箇所１３９を通って長手方向に定められる。さらに、第２の側部の垂直軸線１３６が、２つの取っ手のうちの第２の取っ手１０９の中央箇所１３７を通って長手方向に定められる。一実施形態では、２つの取っ手のうちの第１の取っ手１０７は、第１の側部の垂直軸線１３８に関して実質的に対称であり、２つの取っ手のうちの第２の取っ手１０９は、第２の側部の垂直軸線１３６に関して実質的に対称である。
【００１７】
取っ手付きプラスチック袋１００の第１及び第２の側部１２８，１２６は各々、実質的に等しい幅ｗを有する外側セグメント１５１、中間セグメント１５２及び内側セグメント１５３に分割される。一実施形態では、第１及び第２の側部の垂直軸線１３８，１３６は、第１及び第２の側部１２８，１２６の外側セグメント１５１と中間セグメント１５２との間に定められている。
【００１８】
また、内側セグメントの垂直軸線１５８，１５６が内側セグメント１５３の中央箇所１５９，１５７を通ってそれぞれ長手方向に定められる。かくして、内側セグメント１５３は、実質的に等しい幅ｗ／２を有する内側セグメント半部１５３ａ，１５３ｂに分割される。
【００１９】
一実施形態では、２つの取っ手１０７，１０９の２つの開放側縁１１４は、実質的に湾曲している。他の実施形態では、２つの取っ手１０７，１０９の２つの開放側縁１１４は、実質的に角張っている（図示せず）。さらに別の実施形態では、２つの取っ手１０７，１０９の２つの開放側縁１１４は、別の形状又は曲率を有してもよい。幾つかの実施形態では、側縁１１４の各々の形状は、実質的に同一である。
【００２０】
取っ手付きプラスチック袋１００を任意適当な軟質プラスチックフィルムで作ることができる。例えば、取っ手付きプラスチック袋１００をポリエチレンプラスチックフィルムで作ることができる。種々の実施形態では、取っ手付きプラスチック袋１００を高密度ポリエチレン（ＨＤＰＥ）樹脂、直線状低密度ポリエチレン（ＬＬＤＰＥ）樹脂若しくは低密度ポリエチレン（ＬＤＰＥ）樹脂又はこれら材料のうちの１つ若しくは２つ以上の組み合わせで作ることができる。
【００２１】
一実施形態では、取っ手付きプラスチック袋１００は、取っ手付きプラスチック袋１００の開放頂部１１５を閉じる仕組み（図示せず）を更に有している。開放頂部１１５を閉じるしくみは、例えば本体部分１０２に連結された１本又は２本以上のプラスチックストリップを含むのが良い。１本又は２本以上のプラスチックストリップは、取っ手付きプラスチック袋１００の開放頂部１１５をくくって又は縛って閉じるよう動作可能である。
【００２２】
他の実施形態では、取っ手１０７，１０９を用いて取っ手付きプラスチック袋１００の開放頂部１１５をくくり又はしばって閉じることができる。
【００２３】
一実施形態では、取っ手部分１０４及び本体部分１０２は、頂部継目及び底部継目を備えた同一のプラスチックシートで作られており、取っ手付きプラスチック袋１００は、一連の折り及び単一の切断により作られる。かくして、本体部分１０２の側部１０６，１０８は、継目を備えていない。
【００２４】
取っ手付きプラスチック袋１００の他の特徴としては、プラスチック袋１００がこのプラスチック袋１００の機械加工を比較的費用効果の良い方式で行なうことができるようにする種々の垂直軸線に関する種々の対称性を有しているということにある。例えば、袋１００を中央垂直軸線１２０回りに折り畳み、折り畳んだ袋を次に第１及び第２の側部の垂直軸線１３６，１３８回りに折り畳んだ場合、結果として得られる折り畳み状態の袋は、実質的に互いに一直線上に並ぶ又は整列状態にあるその開放頂部を有する。これにより、取っ手付きプラスチック袋１００を上述した折り及び単一の切断により頂部継目及び底部継目を備えた状態で同一のプラスチックシートから裁断することができる。また、袋１００を内側セグメントの垂直軸線１５８，１５６に沿って折り畳むことができ、結果的に得られる折り畳み状態の袋は、依然として、実質的に整列した状態にあるその開放頂部を有し、それにより、製造及び裁断の効率が一段と向上する。
【００２５】
一実施形態では、プラスチック袋１００は、上述の種々の対称性に起因して、標準のロールストック製造プロセスを用いて容易に製造できる。例えば、各袋の長さ毎に規則的に位置決めされた１対の継目を有するポリエチレンプラスチックフィルムのロールストックを袋の種々の垂直軸線回りに折り畳むのが良く、その結果、実質的に整列された状態の所望の開放領域が得られる。次に、袋の長さごとに単一の切断を用いてロールストックを裁断する。次に、或る特定の数の袋を再び巻いて流通のために包装するのが良い。
【００２６】
図２ａは、取っ手付きプラスチック袋１００の別の概略図である。上述したように、一実施形態では、取っ手付きプラスチック袋１００は、その本体部分１０２及び取っ手部分１０４に関する種々の対称性を備えている。例えば、取っ手付きプラスチック袋１００は、図２ａに示されているように中央垂直軸線１２０に関して実質的に対称であるのが良く、図２ａは、中央垂直軸線１２０の各側の第１及び第２の側部１２６，１２８の形状が互いに実質的に鏡像関係をなす形状であることを示している。
【００２７】
図２ｂは、取っ手付きプラスチック袋１００をその中央垂直軸線１２０回りに折り畳んだ後における取っ手付きプラスチック袋１００の別の概略図である。図２ｂに示されているように、第１の側部及び第２の側部を中央垂直軸線１２０回りに互いに折り重ねることができ、すると、実質的に整列された状態になり、取っ手付きプラスチック袋１００の実質的な対称性が示される。さらに、図２ｂは、折り畳み後、これ又今や整列された状態にある第１の側部の垂直軸線１３８と第２の側部の垂直軸線１３６を示している。最後に、図２ｂは、内側セグメントの垂直軸線１５８，１５６が折り畳み後、実質的に整列された状態にあることを示している。
【００２８】
側部の垂直軸線１３８，１３６は、２つの取っ手１０７，１０９の中央箇所１３９，１３７を通って長手方向に定められている。かくして、２つの取っ手１０７，１０９は、側部の垂直軸線１３８，１３６に関して実質的に対称であると言える。また、外側領域１５１と中間領域１５２は、側部の垂直軸線１３８，１３６に関して実質的に対称である。
【００２９】
内側セグメントの垂直軸線１５８，１５６は、内側セグメント１５３の中央箇所１５９，１５７を通って長手方向に定められている。かくして、内側セグメント半部１５３ａ，１５３ｂは、内側セグメントの垂直軸線１５８，１５６に関して実質的に対称である。
【００３０】
図２ｃは、取っ手付きプラスチック袋１００を側部の垂直軸線１３８，１３６回りに折り畳んだ後における取っ手付きプラスチック袋１００の別の概略図である。図２ｃに示されているように、取っ手１０７，１０９は、半分が折り畳まれており、取っ手１０７，１０９の側縁１１４は、実質的に互いに整列された状態にある。また、外側領域１５１と中間領域１５２は、側部の垂直軸線１３８，１３６回りの折り畳み後、実質的に整列された状態にある。
【００３１】
図２ｄは、取っ手付きプラスチック袋１００を内側セグメントの垂直軸線１５８，１５６回りに折り畳んだ後における取っ手付きプラスチック袋１００の別の概略図である。図２ｄに示されているように、内側セグメント１５３は、実質的に半分に折り畳まれており、内側セグメント半部１５３ａ，１５３ｂは、互いに実質的に整列された状態にある。
【符号の説明】
【００３２】
１００    取っ手付きプラスチック袋
１０２    本体部分
１０４    取っ手部分
１０７    第１の取っ手
１０９    第２の取っ手
１２０    中央垂直軸線
１２６    第２の側部
１２８    第１の側部
１３６    第２の側部の垂直軸線
１３８    第１の側部の垂直軸線
【図１】
0003175978.tif 000003
【図２ａ】
0003175978.tif 000004
【図２ｂ】
0003175978.tif 000005
【図２ｃ】
0003175978.tif 000006
【図２ｄ】
0003175978.tif 000007